(57)【要約】【課題】前向きで昇り降りでき、両側手摺りあるいは片側手摺りとしても使用でき、移動がスムースに行える把持部を有する手摺りを提供する。【解決手段】手摺り部と支柱部と基盤とからなり、基盤の両側に支柱部が立設され、支柱部の上部に手摺り部を備え、基盤と支柱および手摺りとを着脱可能にして両側手摺りあるいは片側手摺りとして使用でき、かつ手摺りステーと支柱との間および／または支柱とステーとの間で上下に高さ調整できるようにするとともに、基盤に移動防止手段として着脱可能で伸縮自在な突っ張り支持手段即ち伸縮自在な突っ張りポールを取り付けることにより仮固定して動きを抑制する移動防止手段備え、レンタルに適した介護用手摺りを提供する。【選択図】図５
2011064052.tif 000002
【特許請求の範囲】
【請求項１】
手摺り部と支柱部と基盤とからなり、該基盤に支柱部が立設され、該支柱部の上部に手摺り部を備え、該基盤に移動防止手段を備えたことを特徴とする介護用手摺り。
【請求項２】
前記移動防止手段として、該基盤に着脱可能で伸縮自在な突っ張り支持手段を取り付けることにより仮固定することを特徴とする請求項１に記載の介護用手摺り。
【請求項３】
前記支柱部が基盤の両側立設され、前記手摺り部と支柱部が基盤と着脱可能であり、両側手摺りあるいは片側手摺りとして使用することができることを特徴とする請求項１または２に記載の介護用手摺り。
【請求項４】
前記手摺り部は手摺り本体と手摺りステーとからなり、前記支柱部は支柱とステーとからなり、手摺りステーと支柱との間および／または支柱とステーとの間で上下に高さ調整できることを特徴とする請求項１乃至３に記載の介護用手摺り。
【請求項５】
前記手摺り部は両側に水平な把持部を有し、該水平な把持部の一方から他方の水平な把持部に向けて曲率半径が漸増または漸減して湾曲する把持部を有することを特徴とする請求項１乃至４に記載の介護用手摺り。
【発明の詳細な説明】
【発明の詳細な説明】
【技術分野】
【０００１】本発明は、高齢者や身体障害者が建物内の玄関等、段差のある場所での昇り降りに適した介護用手摺りに関する。
【背景技術】
【０００２】玄関等の段差部には、老人や身体障害者の昇り降りを介助するために、壁に沿わせて昇降用の手摺りが配設されている。特許文献１（特許３１２１２７６号）に記載されたものは、前後一対の脚柱と手摺り本体からなり、前側の脚柱の下端は玄関床に当設され、後ろ側の脚柱の下端には断面Ｌ字形のブラケットを取り付けて該ブラケットを上り框に当設して固定している玄関ホール昇降用手すりである。【０００３】また、特許文献２（特開２００９−１５５９５１号）に記載されたものは、手摺り本体の下側に床面に垂下される脚柱を有する立ち上がり部を設け、床面に載置される基板に立設支持するとともに、立ち上がり部を壁に突っ張り支持している。【０００４】
【特許文献１】特許第３１２１２７６号公報
【特許文献２】特開２００９−１５５９５１号公報
【発明が解決しようとする課題】
【０００５】特許文献１に記載されたものは、上り框にビス等で固定されるため、介護保険の住宅改修には適するが、レンタルには採用されない問題がある。また、取り外した際にビスのネジ穴が残り玄関の美観が損なわれる。
特許文献２に記載されたものは、壁に突っ張り支持する突っ張り支持部が設けられているので横倒れは防止できるが、固定されていないため前後左右に動く恐れがあり、使用者に不安が生じる。
【０００６】特許文献１、２に記載されたものは、いずれも片側にしか手すりがないので、片マヒの方が昇り降りする際、上段から下段へ降りるときは前向きに降りることができるが、下段から上段へ昇るときは後ろ向きになって昇ることとなる不都合が生じている。また、逆に下段から上段へ昇るときに前向きに昇ると、上段から下段へ降りるときは後ろ向きに降りることとなり、不安である。
【課題を解決するための手段】
【０００７】本発明は、従来の上記課題を解決する手段として、請求項１に記載の本発明は、手摺り部と支柱部と基盤とからなり、該基盤に支柱部が立設され、該支柱部の上部に手摺り部を備え、該基盤に移動防止手段を備えたことを特徴とする介護用手摺りである。
【０００８】請求項１記載の発明によれば、移動防止手段が基盤に設けられているから倒れ防止だけでなく前後左右にずれるなどの動きを防止でき安全に安心して使用することができる。
【０００９】請求項２に記載の本発明は、前記移動防止手段として、該基盤に着脱可能で伸縮自在な突っ張り支持手段を取り付けることにより仮固定することを特徴とする請求項１に記載の介護用手摺りである。
【００１０】請求項２記載の発明によれば、伸縮自在な突っ張り支持手段（支持体）が基盤に取り付けられており壁面に仮固定することにより、倒れ防止だけでなく前後左右の動きを防止することができる。また、伸縮自在な突っ張り支持手段（支持体）が基盤と着脱可能であるのでレンタルに適している。更に使用が終われば簡単に取り除くことができ、取り除いた後にビス穴などの跡が残ることがなく、玄関の美観を損ねることもない。
【００１１】請求項３に記載の本発明は、前記支柱部が基盤の両側立設され、前記手摺り部と支柱部が基盤と着脱可能であり、両側手摺りあるいは片側手摺りとして使用することができることを特徴とする請求項１または２に記載の介護用手摺りである。
【００１２】請求項３記載の発明によれば、支柱部が基盤の両側立設されているから使用者例えば片マヒの方などが常に前向きで昇り降りすることができるようになる。さらに、基盤と支柱部との間が着脱可能なので、手摺り部と支柱部とを着脱でき、右側の支柱部と手摺り部を取り除けば左側用の手摺りとして使用でき、左側の支柱部と手摺り部を取り除けば右側用の手摺りとして使用することができる。
【００１３】請求項４に記載の本発明は、前記手摺り部は手摺り本体と手摺りステーとからなり、前記支柱部は支柱とステーとからなり、手摺りステーと支柱との間および／または支柱とステーとの間で上下に高さ調整できることを特徴とする請求項１乃至３に記載の介護用手摺りである。
【００１４】請求項４記載の発明によれば、手摺りステーと支柱との間および／または支柱とステーとの間で上下の高さ調整機能を備えているから、使用者の体格や身体の状態に合わせて支柱とステーとの間で手摺り部の高さを設定し、更に手摺り部と支柱部との間で微調整行い２段階調整ができる。
【００１５】請求項５に記載の本発明は、前記手摺り部は両側に水平な把持部を有し、該水平な把持部の一方から他方の水平な把持部に向けて曲率半径が漸増または漸減して湾曲する把持部を有することを特徴とする請求項１乃至３に記載の介護用手摺りであり、手摺り全体の少なくとも一部に上記湾曲部を備えている。
【００１６】請求項５記載の発明によれば、両側に水平な把持部を有し、該水平な把持部の一方から他方の水平な把持部に向けて曲率半径が漸増または漸減して湾曲する把持部を有しているから、高齢者の方、足腰の弱くなった方、片マヒの方、身体障害者などが手摺りに体重をかけて移動する場合であってもスムースに昇り降りができる。また、手摺り部と支柱部との間が着脱自在なので、手摺りが手垢などで汚れた場合あるいはレンタルで再度貸し出す場合など手摺りを交換することができる。
【発明の効果】
【００１７】本発明では、全体が前後左右に移動や揺動することがなくなり、安全で安心なものを使用者に提供できる。また、両側支柱タイプ、右用あるいは左用の片側支柱タイプを提供することができ、使用者、使用場所に適したものを選択することができる。また、ビスで固定することなく使用することもできるのでレンタルに適したものを提供することができる。湾曲している把持部および高さ調整機能により、高齢者、身体障害者、片マヒの方などが段差のある所で昇り降りするのに適したものを提供できる。さらに着脱可能にしているからコンパクトに梱包でき輸送にも便利である。
【発明を実施するための最良の形態】
【００１８】以下、本発明の一実施形態を図面に基づき説明する。図１、図２、図３は本発明に係る介護用手摺りの正面図、平面図、右側面図である。図４は展開図、図５は使用状態を示す斜視図である。【００１９】図に示すように本発明に係る介護用手摺りは、床面に載置される基盤１と、該基盤上に着脱可能に取り付けられる支柱部２と、支柱部２の上部に着脱可能に取り付けられる手摺り部３と、基盤１に着脱可能に取り付けられ伸縮自在な突っ張り支持手段４（突っ張り棒、突っ張りポールなど）により構成されている。基盤１はベース板１０と筒状体１１と横桟１２と突っ張りポールの台座１３とからなり、角形状の筒状体４本が溶接されてベース板１０上に立設され、各筒状体１１の間には横桟１２（１２ａ，１２ｂ，１２ｃ）がコの字状に溶接されている。横桟１２ｂには突っ張りポールの台座１３が溶接またはネジで固定されている。ベース板１０の裏面には補強体１４（図示しない）が溶接されている。これらにより支柱部をしっかりと支持することができる。【００２０】支柱部２は、支柱２１とステー２２とアジャスター２３とからなり、基盤１の両側に一対立設されている。支柱２１は鉄製の角パイプで縦支柱２１ａ、横支柱２１ｂとが溶接され連結して一体化している。縦支柱２１ａにはステー２２またはアジャスター２３が装着されている。ステー２２は縦支柱２１ａより一回り小さいサイズの鉄製角パイプで一面にネジ止め穴２２１が複数個間欠的に設けられている。そして、ステー２２の一端はベース板１０に立設された筒状体１１に挿入して嵌合され、筒状体１１に形成されたネジ穴１１１を介してステー２２に形成されたネジ止め穴２２１に止めネジで固定される。他方、ステー２２の他端は縦支柱２１ａ下部に挿入して嵌合され、縦支柱２１ａとスライドする。そして支柱２１を上下にスライドさせて高さ調整をした後、縦支柱２１ａに形成されたネジ穴２１１を介してステー２２に形成されたネジ止め穴２２１に止めネジ５で固定される。支柱２１と支柱２２の間で高さ設定がおこなわれる。
また、支柱２１の上部でも手摺りステー３２との間で上記と同様に高さ調整を行い手摺り部３と連結する。
アジャスター２３は一端に樹脂足を設けたボルト体で縦支柱２１ａの下部に螺合して挿入されおり、回転させて伸縮させることにより上り框の床面に当接される。【００２１】手摺り部３は、手摺り本体３１と手摺りステー３２からなり、手摺り本体３１は両端に水平な把持部３１ａとその水平な把持部の一方から他方の水平な把持部に向けて曲率半径が漸増または漸減して湾曲する把持部３１ｂを有している。水平な把持部の先は下方に折曲している。通常の傾斜した把持部はどこを握っても同じ傾斜角であるが、湾曲した把持部３１ｂは握る個所により傾斜角が異なるので使用者個人の握り易いところを選択することができ、昇り降りする際にスムースな移動が可能となり片マヒなどで困っている人に適する。【００２２】手摺りステー３２はステー２２と同様に縦支柱２１ａより一回り小さいサイズの鉄製角パイプで一面にネジ止め穴２２１が複数個間欠的に設けられ、一端に鉄製の平板が溶接で一体化され台座を形成している。そして手摺り本体の裏面側からビスなどで固定され手摺り本体と一体となっている。他方、手摺りステー３２の他端は縦支柱２１ａに挿入して嵌合され、縦支柱２１ａに形成されたネジ穴２１２を介して手摺りステー３２に形成されたネジ止め穴３２１に止めネジ５で固定され、高さ設定がおこなわれる。したがって、前記と同様に手摺り部と支柱部との間で高さ調整を行うことができる。手摺り本体は木製であるが、断面楕円形状の鉄、アルミなど金属製のパイプ状のものにプラスチック製、エラストマー製チューブを被覆したものであってもよい。【００２３】図６、図７に示すように、突っ張りポール４は台座１３に着脱可能にネジ止めされている。台座１３は基板１に立設された筒状体１１の間に形成されている横桟１２ｂに溶接またはネジ止めされている。図６、図８に示すように、突っ張りポール４はポール本体４１、スライドポール４２、押圧部材４３とからなり、ポール本体４１は鉄製角パイプで一面（上面側）に細長い長円状の穴４１１が設けられ、一端側にはポール本体より一回り小さい径のスライドポール４２が挿入して嵌合され、多端側には押圧部材４３が螺合されている。スライドポール４２はポール本体より一回り小さい径の鉄製角パイプであり一面にネジ穴が複数個設けられ、一端側はポール本体４１に挿入して嵌合され多端側に押圧部材４３が螺合されている。押圧部材４３は表面にネジがボルトのように形成され片方に押圧板４３１が取り付けられている。押圧板４３１はゴム、エラストマー、プラスチックなどの弾性を有する材料である。【００２４】図５、図９に示すように、突っ張りポール４は、スライドポール４２を伸ばして両側の壁に押圧部材４３を壁に当接し、止めネジ４１２を締め付けてスライドポール４２を固定する。次に押圧部材４３を回転させて押圧部材４３を壁に押し付けていく。そして回り止めナット４１３により固定して仮固定を行う。
片側タイプとして使用する場合、例えば、右用タイプとして使用するときは基盤１左側の筒状体１１とステー２２とを固定している止めネジ５を緩めて筒状体１１からステー２２を離脱させることにより手摺り部３と支柱部２を一体的に基板１から取り外す。取り外した後の筒状体１１にはカバー６を取り付ける。その使用状態を図９に示す。また、支柱下部を上下に大きく伸ばした状態を示す図を図１０に示す。基盤１と支柱部２との間で約１２ｃｍ、支柱部２と手摺り部３との間で約１２ｃｍの高さ調整ができる【００２５】上記説明のように、本発明は上記実施例に限定されるものではなく、上記の実施例では鉄製角パイプであるがアルミ製でもよく、また丸パイプであってもよい。
上記実施例では基盤に着脱可能で伸縮自在な突っ張り支持手段として突っ張りポールを取り付けることにより仮固定することを主体に説明したが、移動防止手段としては基盤にビス穴を設け該ビス穴にビスやアンカーボルトを用いて床面に固定してもよい（図示しない）。【００２６】本発明の介護用手摺りは、玄関の上り框用手摺りとして適しているが、段差のある場所、例えば階段付近、縁側から庭先に降りるところなどにも使用することができる。【００２７】また本発明の手摺りは、図１１に示すように手摺り本体をブラケットに取り付けることにより階段付近、トイレ、浴室などでの手摺りとして用いることができる。【００２８】上述のように本発明は、高齢者、身体障害者、片マヒの方、足の弱い方など幅広く使用していただける介護用手摺りを提供するものである。特にレンタルに適した特徴をもつものである。
【図面の簡単な説明】
【００２９】
【図１】  介護用手摺りの正面図
【図２】  介護用手摺りの平面図
【図３】  介護用手摺りの左側面図
【図４】  介護用手摺りの側面視による展開図
【図５】  介護用手摺りの使用状態を示す斜視図
【図６】  突っ張りポールの取り付け状態を示す一部破断の平面図
【図７】  横桟、台座、突っ張りポールの取り付け状態を示す断面図
【図８】  突っ張りポールの展開図（一部破断）
【図９】  片側タイプ介護用手摺りの使用状態を示す斜視図
【図１０】  支柱下部を上下に大きく伸ばした状態を示す図
【図１１】  ブラケットに手摺りを取り付けた状態を示す斜視図
【符号の説明】
【００２７】１        基盤
１０      ベース板
１１      筒状体
１２      横桟
１３      台座
２        支柱部
２１      支柱
２１ａ    縦支柱
２１ｂ    横支柱
２２      ステー
２３      アジャスター
３        手摺り部
３１      手摺り本体
３２      手摺りステー
４        突っ張りポール
４１      ポール本体
４２      スライドポール
４３      押圧部材
４３１    押圧板
５        止めネジ
６        カバー
１１１、２１１、２１２  ネジ穴
２２１、３２１    ネジ止め穴
【図１】
2011064052.tif 000003
【図２】
2011064052.tif 000004
【図３】
2011064052.tif 000005
【図４】
2011064052.tif 000006
【図５】
2011064052.tif 000007
【図６】
2011064052.tif 000008
【図７】
2011064052.tif 000009
【図８】
2011064052.tif 000010
【図９】
2011064052.tif 000011
【図１０】
2011064052.tif 000012
【図１１】
2011064052.tif 000013